(57)【要約】【課題】  スピニングリールのリアドラグ操作構造において、リール本体の左右の幅を小さくしながら、レバー部材の揺動範囲を規制できるようにする。【解決手段】  本発明は、スプールの制動力を調節して操作するための釣り用リールのスプールの制動操作構造であって、リアドラグ操作構造は、つまみ装着部５２と、第１リアドラグつまみ５０と、第２リアドラグつまみ５１とを備えている。つまみ装着部５２の前端部外周部には、上下方向の少なくともいずれか一方に突出した係止突起５３が一体成形され、第２リアドラグつまみ５１の内周部には、係止突起５３に接触して回転規制するための回転規制部５４が設けられている。【選択図】      図８
2005348638.tif 000002
【特許請求の範囲】
【請求項１】
スピニングリールのリール本体の後方に設けられたリアドラグ機構を操作するためのリアドラグ操作構造であって、
前記リール本体の後部から後方に筒状に突出する筒状部と、前記筒状部の後部側の外周面に形成された雄ねじ部と、前記筒状部の前部側の外周面に一体成形され上下方向の少なくともいずれか一方に突出した係止突起とを有するつまみ装着部と、
前記つまみ装着部の後端部に装着され、前記リアドラグ機構のドラグ力を微調整するための第１リアドラグつまみと、
前記リール本体の後部と前記第１リアドラグつまみの前部との間に揺動自在に配置されたレバー部材と、前記レバー部材の内周部に設けられ前記係止突起に接触して前記レバー部材の揺動範囲を規制するための回転規制部とを有し、前記リアドラグ機構のドラグ力を前記第１リアドラグつまみより単位操作量あたりの変化量を大きく調整するための第２リアドラグつまみと、
を備えるスピニングリールのリアドラグ操作構造。
【請求項２】
前記係止突起は、前記筒状部の上側の外周面に一体成形された第１係止突起と、前記筒状部の下側の外周面に一体成形された第２係止突起とを有している、請求項１に記載のスピニングリールのリアドラグ操作構造。
【請求項３】
前記回転規制部は、前記レバー部材の側部内周側に突出して設けられ、前記第１係止突起及び前記第２係止突起が接触可能な単一の被係止突起のみを有している、請求項２に記載のスピニングリールのリアドラグ操作構造。
【請求項４】
前記係止突起は、前記筒状部の上側の外周面に一体成形された単一の第１係止突起のみを有している、請求項１に記載のスピニングリールのリアドラグ操作構造。
【請求項５】
前記係止突起は、前記筒状部の下側の外周面に一体成形された単一の第２係止突起のみを有している、請求項１に記載のスピニングリールのリアドラグ操作構造。
【請求項６】
前記回転規制部は、前記レバー部材の側部内周側に突出して設けられ、前記第１係止突起及び前記第２係止突起の少なくともいずれかが接触可能な第１被係止突起及び第２被係止突起を有している、請求項４又は５に記載のスピニングリールのリアドラグ操作構造。
【請求項７】
前記第２リアドラグつまみと前記つまみ装着部との間に設けられ、前記第２リアドラグつまみを所定の揺動範囲で揺動させることにより発音する発音機構をさらに備えている、
請求項１から６のいずれか１項に記載のスピニングリールのリアドラグ操作構造。
【発明の詳細な説明】
【技術分野】
【０００１】
本発明は、リアドラグ操作構造、特に、スピニングリールのリール本体の後方に設けられたリアドラグ機構を操作するためのリアドラグ操作構造に関する。
【背景技術】
【０００２】
従来のスピニングリールでは、リール本体の後方に設けられたリアドラグ機構を操作するためのリアドラグ操作構造が広く採用されている。リアドラグ操作構造は、つまみ装着部と、第１リアドラグつまみと、第２リアドラグつまみとを備えている（たとえば、特許文献１参照）。つまみ装着部は、筒状部と雄ねじ部とを有している。筒状部はリール本体の後部から後方に筒状に突出しており、雄ねじ部は筒状部の外周面に形成されている。第１リアドラグつまみは、リアドラグ機構のドラグ力を微調整するためのものであり、つまみ装着部の後端部に装着されている。第２リアドラグつまみは、レバー部材と、ナット部材とを有している。レバー部材は、リール本体の後部と第１リアドラグつまみの前部との間に配置されている。ナット部材は、レバー部材に回転不能かつ前後移動不能に装着されている。また、ナット部材は、つまみ装着部の雄ねじ部に螺合させている。このような第２リアドラグつまみのレバー部材を揺動させると、レバー部材とともにナット部材がつまみ装着部に対して相対回転する。このとき、レバー部材とナット部材とがつまみ装着部に対して前後方向に相対移動して、リアドラグ機構のドラグ力が第１リアドラグつまみより単位操作量あたりの変化量が大きく調整される。
【０００３】
この種のリアドラグ操作構造は、第２リアドラグつまみのレバー部材の揺動範囲を所定角度範囲で規制するために、つまみ装着部の外周部に左右方向に突出した突出部を有する回り止め部材を相対回転不能に装着したものが知られている（たとえば、非特許文献１参照）。ここでは、たとえばレバー部材の内周部の下方向に設けられた突起部に回り止め部材の突出部を接触させることにより、レバー部材の揺動範囲を規制している。
【特許文献１】実公平３−５２５９号公報
【非特許文献１】インターネット＜ＵＲＬ：ｈｔｔｐ：／／ｗｗｗ．ｓｈｉｍａｎｏ−ｅｕｒｏｐｅ．ｃｏｍ／ｆｉｓｈｉｎｇ／ｐｈｐｉｍａｇｅｓ／ｐｒｏｄｕｃｔ／ｅｘｐ＿ｖｉｅｗ／０１ＳＴＸ１０００ＧＴＭ．ｐｄｆ＞
【発明の開示】
【発明が解決しようとする課題】
【０００４】
従来のスピニングリールのリアドラグ操作構造では、つまみ装着部の外周部には、レバー部材の揺動範囲を規制するために、左右方向に突出した突出部を有する回り止め部材が設けられている。しかし、最近のスピニングリールでは、リール全体を小型化したり、意匠性を向上させるために、リール本体の後部における左右の幅を小さく形成することが要請されている。しかし、回り止め部材の左右方向には突出部が突出して形成されているので、左右の突出部の幅だけリール本体の左右の幅を小さくすることができない。
【０００５】
本発明の課題は、スピニングリールのリアドラグ操作構造において、リール本体の左右の幅を小さくしながら、レバー部材の揺動範囲を規制できるようにすることである。
【課題を解決するための手段】
【０００６】
発明１に係るスピニングリールのリアドラグ操作構造は、スピニングリールのリール本体の後方に設けられたリアドラグ機構を操作するためのリアドラグ操作構造であって、つまみ装着部と、リアドラグ機構のドラグ力を微調整するための第１リアドラグつまみと、リアドラグ機構のドラグ力を第１リアドラグつまみより単位操作量あたりの変化量を大きく調整するための第２リアドラグつまみとを備えている。つまみ装着部は、リール本体の後部から後方に筒状に突出する筒状部と、筒状部の後部側の外周面に形成された雄ねじ部と、筒状部の前部側の外周面に一体成形され上下方向の少なくともいずれか一方に突出した係止突起とを有している。第１リアドラグつまみは、つまみ装着部の後端部に装着されている。第２リアドラグつまみは、リール本体の後部と第１リアドラグつまみの前部との間に揺動自在に配置されたレバー部材と、レバー部材の内周部に設けられ係止突起に接触してレバー部材の揺動範囲を規制するための回転規制部とを有している。
【０００７】
このリアドラグ操作構造では、第２リアドラグつまみのレバー部材を揺動させると、レバー部材がつまみ装着部に対して相対回転して、リアドラグ機構のドラグ力が第１リアドラグつまみより単位操作量あたりの変化量が大きく調整される。また、つまみ装着部は、外周面に一体成形され上下方向の少なくともいずれか一方に突出し、レバー部材の回転規制部を接触させてレバー部材の揺動範囲を規制する係止突起を有している。ここでは、つまみ装着部の外周部に上下方向の少なくともいずれか一方に突出する係止突起を設けることにより、従来のようにつまみ装着部の左右方向に突出する突出部を有する回り止め部材を設ける必要がなくなるので、リール本体の左右の幅を小さくしながら、レバー部材の揺動範囲を規制することができる。
【０００８】
発明２に係るリアドラグ操作構造では、発明１に記載の構造において、係止突起は、筒状部の上側の外周面に一体成形された第１係止突起と、筒状部の下側の外周面に一体成形された第２係止突起とを有している。この場合、第１係止突起及び第２係止突起の２つの係止突起が設けられているので、第１係止突起又は第２係止突起の配置を変更することにより、レバー部材の揺動角度範囲を容易に変更できる。
【０００９】
発明３に係るリアドラグ操作構造では、発明２に記載の構造において、回転規制部は、レバー部材の側部内周側に突出して設けられ、第１係止突起及び第２係止突起が接触可能な単一の被係止突起のみを有している。この場合、第１係止突起及び第２係止突起を単一の被係止突起に接触させることにより、レバー部材の回転規制を容易に行える。
【００１０】
発明４に係るリアドラグ操作構造では、発明１に記載の構造において、係止突起は、筒状部の上側の外周面に一体成形された単一の第１係止突起のみを有している。この場合、単一の第１係止突起が上側にのみ形成されているので、係止突起の構造が簡素になる。
【００１１】
発明５に係るリアドラグ操作構造では、発明１に記載の構造において、係止突起は、筒状部の下側の外周面に一体成形された単一の第２係止突起のみを有している。この場合、単一の第２係止突起が下側にのみ形成されているので、係止突起の構造が簡素になる。
【００１２】
発明６に係るリアドラグ操作構造では、発明４又は５に記載の構造において、回転規制部は、レバー部材の側部内周側に突出して設けられ、第１係止突起及び第２係止突起の少なくともいずれかが接触可能な第１被係止突起及び第２被係止突起を有している。この場合、第１係止突起又は第２係止突起を第１被係止突起又は第２被係止突起にそれぞれ接触させることにより、レバー部材の回転規制を容易に行える。
【００１３】
発明７に係るリアドラグ操作構造では、発明１から６のいずれかに記載の構造において、第２リアドラグつまみとつまみ装着部との間に設けられ、第２リアドラグつまみを所定の揺動範囲で揺動させることにより発音する発音機構をさらに備えている。この場合、第２リアドラグつまみを所定の揺動範囲で揺動させることにより発音する発音機構を設けることにより、歯切れのよいクリック音やメリハリのあるクリック感を得ることができる。
【発明の効果】
【００１４】
本発明によれば、スピニングリールのリアドラグ操作構造において、つまみ装着部の外周部に上下方向の少なくともいずれか一方に突出する係止突起を設けることにより、リール本体の左右の幅を小さくしながら、レバー部材の揺動範囲を規制できる。
【発明を実施するための最良の形態】
【００１５】
〔スピニングリールの構成〕
本発明の一実施形態によるスピニングリールは、図１に示すように、主に、ハンドル１０を回転自在に支持するリール本体１と、ロータ２と、スプール３と、第１リアドラグつまみ５０および第２リアドラグつまみ５１とを備えている。
【００１６】
リール本体１は、リールボディ１ａと、リールボディ１ａから上方に延びる竿取付脚部１ｂとを有している。リールボディ１ａの内部には収納空間が形成されている。この収納空間にはロータ２をハンドル１０の回転に連動して回転させるロータ駆動機構５と、スプール３を前後に移動させて釣り糸を均一に巻き取るためのオシレーティング機構６とが設けられている。リールボディ１ａの後部には、つまみ装着部５２が筒状に一体に形成されており、つまみ装着部５２を貫通するようにカバー部材１ｃが装着されている。つまみ装着部５２には、図２に示すように、後部内周面に第１雌ねじ部５２ａと、中央部外周面に第３雄ねじ部５２ｅとが形成されている。この第３雄ねじ部５２ｅの後方には、環状の第１および第２環状溝５２ｃ、５２ｄが所定の間隔を隔てて形成されている。そして、第３雄ねじ部５２ｅの前方には、第２リアドラグつまみ５１の回転方向の位置決めをするための位置決め凹部９６がつまみ装着部５２上部に設けられている。位置決め凹部９６は、回転方向の両側面が底部側から開口側に向けて末広がりテーパ状に形成されている。また、第３雄ねじ部５２ｅの前方には、後述する第２音出しピン７３と第２コイルばね７４とを配置するための第２装着凹部７２が、つまみ装着部５２側部に設けられている。また、つまみ装着部５２には、後端面に周方向に所定の間隔を隔てて複数の係合凹部５２ｂが形成されている。
【００１７】
ロータ２は、リール本体１の前部に回転自在に支持されている。ロータ２は、図１に示すように、ロータ円筒部３０と、第１ロータアーム３１および第２ロータアーム３２とを有している。第１および第２ロータアーム３１、３２は、ロータ円筒部３０の側方に互いに対向して設けられている。ロータ円筒部３０と第１および第２ロータアーム３１、３２とは、たとえばアルミニウム合金製であり、ロータ円筒部３０に一体に成形されている。第１および第２ロータアーム３１、３２は、ロータ円筒部３０の周面上に周方向に広がりをもたせて接続させている。そして、ロータ円筒部３０から外方に突出して湾曲しながら前方に延びている。第１ロータアーム３１は、先端に第１ベール支持部材４０が揺動自在に装着されている。そして、第１ベール支持部材４０の先端に、釣り糸をスプール３に案内するためのラインローラ４１が装着されている。第２ロータアーム３２は、先端に第２ベール支持部材４２が揺動自在に装着されている。ラインローラ４１と第２ベール支持部材４２との間には、線材を略Ｕ状に湾曲させた形状のベール４３が固定されている。このように、第１ベール支持部材４０及び第２ベール支持部材４２、ラインローラ４１、ベール４３によって、釣り糸をスプール３に案内するベールアーム４４が構成される。ベールアーム４４は、図１に示す糸案内姿勢とそれから反転した糸開放姿勢との間で揺動自在である。
【００１８】
ロータ駆動機構５は、図１に示すように、ハンドル１０が連結されたハンドル軸１０ａとともに回転するフェースギア１１と、フェースギア１１に噛み合うピニオンギア１２とを有している。ピニオンギア１２は、筒状に形成されており、軸方向の中間部と後端部とがそれぞれ軸受１４ａ、１４ｂを介してリール本体１に回転自在に支持されている。また、ピニオンギア１２の前部はロータ２の中心部を貫通してスプール３側に延びている。ピニオンギア１２の中心部には、スプール軸１４が回転軸芯に沿って前後方向に摺動自在に貫通している。
【００１９】
ハンドル１０は、図１８に拡大して示すように、ハンドル軸１０ａの先端に装着されるハンドルアーム１０ｂと、ハンドルアーム１０ｂの先端にハンドルアーム１０ｂと交差する方向に突出して一体成形された装着部１０ｃと、装着部１０ｃに回転自在に装着されたハンドル把手１０ｄとを備えている。ハンドルアーム１０ｂ及び装着部１０ｃは、亜鉛合金をダイカスト成形して一体で得られたものである。
【００２０】
装着部１０ｃは、ダイカストの金型を抜くために抜き方向（図１８では右方向）に向かって小径となるテーパ部１０ｅと、テーパ部１０ｅの基端部に大径となるように形成された円柱状の第１支持部１０ｆと、テーパ部１０ｅの先端部に小径となるように形成された円柱状の第２支持部１０ｇとを有している。なお、第１支持部１０ｆ及び第２支持部１０ｇの軸方向長さは、テーパ部１０ｅの軸方向長さに比して短くなるように形成されており、このためダイカストの金型が抜けにくくなることはない。
【００２１】
ハンドル把手１０ｄは、たとえば合成樹脂で形成され中央部が凹んだ太鼓状の部材である。ハンドル把手１０ｄは、図１８に示すように、先端部内周が第１支持部１０ｆに支持される第１円筒部１０ｈと、第１円筒部１０ｈより小径に形成され内周が第２支持部１０ｇに支持される第２円筒部１０ｉと、第２円筒部１０ｉより小径に形成され第２支持部１０ｇの先端にねじ止めするためのねじ部材１０ｊが装着される貫通孔１０ｋと、貫通孔１０ｋより大径に形成されねじ部材１０ｊの頭部が収納される収納凹部１０ｌとを有している。なお、ねじ部材１０ｊの頭部とハンドル把手１０ｄとの間には、僅かな隙間が形成されており、このためハンドル把手１０ｄが装着部１０ｃに対して回転可能となっている。
【００２２】
従来のハンドルは、装着部にテーパ部のみ設け、ハンドル把手の内周部をテーパ状に形成してテーパ面にて支持していたが、この場合には、装着部とハンドル把手とのテーパ合わせが非常に困難であった。これに対して、本件で記載したハンドル１０は、ハンドル把手１０ｄの第１円筒部１０ｈ及び第２円筒部１０ｉが装着部１０ｃの第１支持部１０及び第２支持部１０ｇの円筒部分にそれぞれ支持されているので、従来のようにテーパ合わせを行う必要がなく、このためハンドル把手１０ｄの支持構造が容易になる。
【００２３】
スプール３は、釣り糸を外周面に巻き取るものであり、図１に示すように、ロータ２の前部に前後移動自在に装着されている。スプール３は、スプール本体７と、鍔部８と、鍔部固定部材９とで構成されている。スプール本体７は、糸巻胴部４ａとスカート部４ｂとを有している。糸巻胴部４ａは、筒状に形成されており、外周に釣り糸が巻き付けられる。スカート部４ｂは、糸巻胴部４ａの外径より大径に形成され、糸巻胴部４ａの後部に一体成形されている。鍔部８は、糸巻胴部４ａの前部に装着されており、鍔部固定部材９によってスプール本体７に固定されている。
【００２４】
オシレーティング機構６は、図１に示すように、スプール３に連結されたスプール軸１４を前後方向に移動させて、スプール３を同方向に移動させるための機構である。オシレーティング機構６は、スプール軸１４の下方に平行に配置された螺軸１５と、螺軸１５に沿って前後方向に移動するスライダ１６と、スプール軸１４に平行に配置された図示しないガイド軸と、螺軸１５の先端に固定された図示しない中間ギアとを有している。スライダ１６は、スプール軸１４に回転不能に装着されている。
【００２５】
リアドラグ機構４５は、スプール３にドラグ力を作用させるための機構である。このリアドラグ機構４５は、図２に示すように、長円筒状の第１ブッシュ１８と、複数の摩擦プレート１９ａ、２０ａからなる第１および第２摩擦係合部１９、２０と、第１摩擦係合部１９の摩擦プレート１９ａを押圧するための押圧用コイルばね２１および第１押圧部材２２と、第２摩擦係合部２０の摩擦プレート２０ａを押圧するための第２押圧部材２５とから構成されている。
【００２６】
第１ブッシュ１８は、外周面が互いに平行に面取りされた筒状に形成されている。第１ブッシュ１８の前部内周には、第２ブッシュ１８ａが第１ブッシュ１８に対して回転不能かつ摺動不能に嵌合されている。第２ブッシュ１８ａも、外周面が互いに平行に面取りされた筒状に形成されている。この第２ブッシュ１８ａは、たとえば摺動性能の高い合成樹脂製からなっており、内周にスプール軸１４が回転不能かつ摺動自在に嵌め込まれている。このように、第１ブッシュ１８とスプール軸１４との間に、摺動性能の高い第２ブッシュ１８ａを配置することで、スプール軸１４は滑らかに摺動することが可能になる。
【００２７】
第１ブッシュ１８後部の外周面上には、フランジ部２３が設けられている。そして、フランジ部２３の前後に、第１摩擦係合部１９の摩擦プレート１９ａが配置される。第１摩擦係合部１９の後部には、押圧用コイルばね２１が配置されている。そして、押圧用コイルばね２１の後部には、第１押圧部材２２が直列に連結される。この第１押圧部材２２の前部２２ａは、円筒状に形成されており、外周面に第１雄ねじ部２２ｂが設けられている。また、第１押圧部材の後部２２ｃは、前部より小径の有底筒状に形成されており、外周面が互いに平行に面取りされている。
【００２８】
第２摩擦係合部２０では、第１ブッシュ１８の外周に回転不能に装着されたプレート部材２０ｂが摩擦プレート２０ａによって挟持されている。プレート部材２０ｂの外周面には、後述する音出しばね８１に係合する突起２０ｃが周方向に所定の間隔で形成されている。第２摩擦係合部２０の後部には第２押圧部材２５が配置されており、後述する第２リアドラグつまみ５１の係合部２５ｂに係合している。
【００２９】
第１押圧部材２２は、第１雄ねじ部２２ｂにおいて、つまみ装着部５２の内周面に形成された第１雌ねじ部５２ａに回転自在に装着される。この状態で第１押圧部材２２が回転すると、第１押圧部材２２は、つまみ装着部５２の内部を回転しながら前後方向に移動して、押圧用コイルばね２１を圧縮したり圧縮解除したりする。一方で、第２押圧部材２５は、第１ブッシュ１８の外周に回転自在に装着されている。この第２押圧部材２５が回転して第２摩擦係合部２０の摩擦プレート２０ａを押圧すると、摩擦プレート２０ａによってプレート部材２０ｂの両面が押圧される。
【００３０】
〔第１リアドラグつまみの構成〕
第１リアドラグつまみ５０は、図３に示すように、第１つまみ部材５５と、第２つまみ部材５６と、リング部材５７とからなっている。第１つまみ部材５５は、たとえば合成樹脂製であり、筒状に形成されている。この第１つまみ部材５５は、第１筒状部５５ａと第２筒状部５５ｂと第３筒状部５５ｃとを有しており、これら第１から第３筒状部５５ａ、５５ｂ、５５ｃは一体に形成されている。
【００３１】
第１筒状部５５ａには、前部内周面に環状の第３環状溝５５ｄが設けられている。この第３環状溝５５ｄとつまみ装着部５２の第１環状溝５２ｃとに、第１嵌合部材５８ａが嵌合されている。ここで、第１嵌合部材５８ａには、たとえばＯリングが用いられている。第２筒状部５５ｂは、第１筒状部５５ａの後端に一体に形成されており、外径が第１筒状部５５ａの外径より小径になっている。第３筒状部５５ｃは、第２筒状部５５ｂの後端に一体に形成されており、外径が第２筒状部５５ｂの外径より小径になっている。また、第３筒状部５５ｃの外周面には第２雄ねじ部５５ｅが設けられている。なお、第３筒状部５５ｃの後端面は、ワッシャ５５ｆを当接させることで補強されている。そして、ワッシャ５５ｆは、第２嵌合部材５８ｂによって位置決めされる。この第２嵌合部材５８ｂは、ワッシャ５５ｆの後部に当接させながら、つまみ装着部５２に形成された第２環状溝５２ｄに嵌合されている。ここで、第２嵌合部材５８ｂには、たとえばＣ型止め輪が用いられている。このようにして、第１つまみ部材５５は、第１嵌合部材５８ａおよび第２嵌合部材５８ｂによって位置決めされ、つまみ装着部５２に軸方向移動不能かつ回転自在に装着される。
【００３２】
第２つまみ部材５６は、たとえば合成樹脂製であり、有底筒状に形成されている。第２つまみ部材５６の底部には、第１および第２嵌合部５６ｅ、５６ｆが設けられている。第１嵌合部５６ｅは、底部中央部に小判穴が形成されている。この第１嵌合部５６ｅに、外周面が互いに平行に面取りされた第１押圧部材２２の後部２２ｃを嵌合させている。このとき、第１押圧部材２２の後部２２ｃは、第１嵌合部５６ｅ内において回転不能かつ前後方向に摺動自在になっている。第２嵌合部５６ｆは、第２つまみ部材５６の底部外周に円環凹状に形成されている。この第２嵌合部５６ｆに、後述する音出し部材６１が嵌合される。また、円環凹状に形成された第２嵌合部５６ｆの底部には、第１装着凹部６３が形成されており、この第１装着凹部６３に後述する第１音出しピン６４および第１コイルばね６５が配置される。
【００３３】
第２つまみ部材５６の内周側面には、環状の第４環状溝５６ｂと第２雌ねじ部５６ｄとが設けられている。第４環状溝５６ｂは、第２つまみ部材５６の底部側で、後述する音出し部材６１の外径より大径に形成されている。第２雌ねじ部５６ｄは、第２つまみ部材５６の開口側に形成されている。この第２雌ねじ部５６ｄを第１つまみ部材５５の第２雄ねじ部５５ｅに螺合させることで、第２つまみ部材５６が第１つまみ部材５５に連結される。このとき、第１つまみ部材５５と第２つまみ部材５６との間には、リング部材５７が配置される。このリング部材５７は、たとえばアルミニウム合金製である。なお、第１つまみ部材５５と第２つまみ部材５６との間にリング部材５７を設置したことで、第１リアドラグつまみ５０の意匠性を向上することができる。
【００３４】
〔第２リアドラグつまみの構成〕
第２リアドラグつまみ５１は、図８及び図９に示すように、つまみ装着部５２に貫通して装着され、リールボディ１ａの後部に左右方向に揺動自在に装着されている。リールボディ１ａの後部は、後方視略楕円形に形成された左右の幅が小さい部材であり、中央部分から後方に突出する筒状のつまみ装着部５２と、つまみ装着部５２の前部側のリールボディ１ａの後部外周面に一体成形され上下方向から後方に突出した２つの係止突起５３とを有している。係止突起５３は、つまみ装着部５２の上側の外周面に一体成形された第１係止突起５３ａと、つまみ装着部５２の下側の外周面に一体成形された第２係止突起５３ｂとを有している。また、第２リアドラグつまみ５１の側部右側内周部には、係止突起５３の第１係止突起５３ａ及び第２係止突起５３ｂに接触して第２リアドラグつまみ５１の揺動範囲を規制するための単一の回転規制部５４が内側に突出して形成されている。ここでは、第２リアドラグつまみ５１を時計回りに揺動させたとき、図１０に示すように、第２リアドラグつまみ５１の回転規制部５４がつまみ装着部５２の下側の第２係止突起５３ｂに接触し、第２リアドラグつまみ５１の回転を規制している。また、第２リアドラグつまみ５１を反時計回りに揺動させたとき、図１１に示すように、第２リアドラグつまみ５１の回転規制部５４がつまみ装着部５２の上側の第１係止突起５３ａに接触し、第２リアドラグつまみ５１の回転を規制している。すなわち、第２リアドラグつまみ５１は、第１係止突起５３ａ及び第２係止突起５３ｂの間において揺動可能となっており、その揺動角度はたとえば１００度以上１５０度以下の範囲であって、具体的には１２０度である。また、第１係止突起５３ａ及び第２係止突起５３ｂは、回転規制部５４との接触面が、回転規制部５４と垂直に接触するように右側に傾斜して配置されている。
【００３５】
第２リアドラグつまみ５１は、図４に示すように、第１レバー部材９０と、第２レバー部材９１と、位置決めピン９２および第４コイルばね９３と、固定部材９４と、筒状部材９５とからなっている。第１レバー部材９０は、筒状に形成されており、外周面から径方向外方に向けて突出した第１レバー部９０ａを有している。第１レバー部材９０には、内周部に向けて突出した第１嵌合凸部９０ｂが周方向に所定の間隔で形成されている。第１レバー部９０ａは収納部を有しており、この収納部に第２レバー部材９１が収納される。第２レバー部材９１は、筒状に形成されており、外周面から径方向外方に向けて突出して形成された第２レバー部９１ａを有している。また、第２レバー部材９１には、内周面に第２嵌合凹部９１ｃが、周方向に所定の間隔で形成されている。第２レバー部９１ａには第４装着凹部９１ｂが前方に開口して形成されており、この第４装着凹部９１ｂに位置決めピン９２と第４コイルばね９３とが配置されている。
【００３６】
位置決めピン９２は、第４頭部９２ａと、第４受け部９２ｂと、第４軸部９２ｃとを有している。第４頭部９２ａと第４受け部９２ｂとは、略Γ字形に一体に形成されている。このとき、第４頭部９２ａは下向き部に対応しており、第４受け部９２ｂは横向部に対応している。第４頭部９２ａは、矩形柱状に形成されており、先端部の両側面が先細りテーパ状になっている。第４軸部９２ｃは、第４受け部９２ｂに連結された軸状の部分であり、外周に第４コイルばね９３を配置できるようになっている。第４コイルばね９３は、基端部が第４装着凹部９１ｂの上部側面に当接しており、先端部が第４受け部９２ｂと第４軸部９２ｃとの段差部分に当接している。この第４コイルばね９３は、圧縮状態で第４装着凹部９１ｂに収納され、位置決めピン９２を位置決め凹部９６側に付勢している。このように位置決めピン９２と第４コイルばね９３とを第４装着凹部９１ｂに配置すると、第２リアドラグつまみ５１を揺動させたときに、位置決めピン９２がつまみ装着部５２の上部に形成された位置決め凹部９６に対向した位置にくると、位置決めピン９２の第４頭部９２ａが位置決め凹部９６に係合するようになっている。これにより、第２リアドラグつまみ５１を所定の位置に確実に位置決めすることができ、位置決めされたことをクリック感によって判断することができる。なお、第４コイルばね９３には、位置決めされたことをクリック感によって判断できる程度のばね定数が設定されている。
【００３７】
固定部材９４は、位置決めピン９２および第４コイルばね９３を第４装着凹部９１ｂから抜け出さないようにするためのものであり、たとえばボルトにより第２レバー部材９１に固定されている。このようにすると、第２リアドラグつまみ５１を前方から順に組み立てていくことができる。筒状部材９５は前部の外径が中央部の外径より大径に形成されており、前部と中央部との間の段差部がテーパ状に形成されている。筒状部材９５の前部には、外周面に第２嵌合凸部９５ａが所定の間隔で形成されており、内周縁に第２リアドラグつまみ５１の動作を第２押圧部材２５に伝達するための係合部９５ｂが形成されている。また、筒状部材９５の後部外周面には、筒状部材９５の後端へと溝状に延びた第１嵌合凹部９５ｃが周方向に所定の間隔で形成されている。この第１嵌合凹部９５ｃの側壁部には、第１嵌合凹部９５ｃにくい違う方向に溝部９５ｄが形成されている。さらに、筒状部材９５の後部内周面には、第３雌ねじ部９５ｅが設けられている。このような筒状部材９５では、テーパ状の段差部と中央部とが第２レバー部材９１の内周面に当接して、第２嵌合凸部９５ａが第２レバー部材９１の第２嵌合凹部９１ｃに嵌合されている。そして、筒状部材９５の第１嵌合凹部９５ｃに、第１レバー部材９０の第１嵌合凸部９０ｂが嵌合されている。また、第１レバー部材９０の第１嵌合凸部９０ｂの後面には、第３嵌合部材９８が当接している。この第３嵌合部材９８は、たとえばＣ型止め輪になっており、溝部９５ｄに係止されている。
【００３８】
ここで、第２リアドラグつまみ５１では、第１レバー部材９０および固定部材９４と、第２レバー部材９１とで異なる材質が用いられている。たとえば、第１レバー部材９０および固定部材９４はＡＢＳ樹脂製になっており、第２レバー部材９１は合成樹脂製になっている。第１レバー部材９０および固定部材９４の表層側には、めっき処理されためっき層９９が設けられている。このとき、第１レバー部材９０および固定部材９４と第２レバー部材９１とを異なる材質で構成したことで、めっき処理をするにあたって偏肉によるヒケマークを防止することができる。
【００３９】
第１リアドラグ発音機構６０は、図５に示すように、つまみ装着部５２と第２つまみ部材５６との間に配置され、つまみ装着部５２と第１リアドラグつまみ５０との相対回転により発音するようになっている。この第１リアドラグ発音機構６０は、音出し部材６１と、抜け止め部材６２と、第１装着凹部６３と、第１音出しピン６４と、第１コイルばね６５とを備えている。
【００４０】
音出し部材６１は、リング状に形成される円盤部６１ａと、円盤部６１ａの一面に回転方向に間隔を隔てて配置された複数の音出し凹部６１ｂと、円盤部６１ａの他面に一体に形成された係合部６１ｃとを有している。この音出し部材６１では、円板部６１ａの外径が第４環状溝５６ｂの内径より小径に形成されている。そして、円盤部６１ａが第２つまみ部材５６の第２嵌合部５６ｆに嵌合される。この円板部６１ａは、第２つまみ部材５６に対して回転自在になっている。係合部６１ｃは、つまみ装着部５２の後端面に形成された係合凹部５２ｂに向けて突出して形成されており、この係合凹部５２ｂに嵌合可能に装着される。抜け止め部材６２は、音出し部材６１の脱落防止のために設けられている。この抜け止め部材６２は、たとえばＣ型止め輪となっており、第４環状溝５６ｂに配置される。また、抜け止め部材６２の内径は、円盤部６１ａの外径より小さく形成されている。第１装着凹部６３は、複数の音出し凹部６１ｂに対向する位置で、第２つまみ部材５６の底部に形成されている。
【００４１】
第１音出しピン６４は、第１装着凹部６３に進退自在に装着されており、音出し部材６１の第１音出し凹部６１ｂに係合している。第１音出しピン６４は、第１頭部６４ａと、第１頭部６４ａに連結された第１受け部６４ｂと、第１受け部６４ｂに連結された第１軸部６４ｃとを有している。第１頭部６４ａは先端が滑らかな凸状に形成されている。この第１頭部６４ａの先端が、第１音出し凹部６１ｂに衝突を繰り返すことでクリック音を発する。ここで、第１音出しピン６４は第１頭部６４ａの先端が滑らかな凸状に形成されているので、第１音出しピン６４は、極力少ない抵抗でクリック音を発することができる。第１受け部６４ｂは、第１頭部６４ａより大径かつ第１装着凹部６３の内径より小径に形成されている。第１軸部６４ｃは、第１受け部６４ｂより小径に形成された軸状の部分であり、外周に第１コイルばね６５を配置できるようになっている。このように、第１軸部６４ｃが第１受け部６４ｂより小径に形成されることで、第１受け部６４ｂと第１軸部６４ｃとの段差部分に第１コイルばね６５の先端が当接可能となっている。
【００４２】
第１コイルばね６５は、第１音出しピン６４の第１軸部６４ｃの外周側に配置される。このとき、第１コイルばね６５の基端部は第１装着凹部６３の底部に当接しており、第１コイルばね６５の先端部は第１受け部６４ｂと第１軸部６４ｃとの段差部分に当接している。この第１コイルばね６５は、圧縮状態で第１装着凹部６３に収納され、第１音出しピン６４を第１音出し凹部６１ｂ側に付勢している。なお、第１コイルばね６５には、極力少ない抵抗で歯切れの良いクリック音を出せる程度のばね定数が設定されている。
【００４３】
第２リアドラグ発音機構７０は、図６に示すように、つまみ装着部５２と第２リアドラグつまみ５１との間に配置され、第２リアドラグつまみ５１を揺動させることにより発音するようになっている。この第２リアドラグ発音機構７０は、図６および図７に示すように、第２音出し凹部７１と、第２装着凹部７２と、第２音出しピン７３と、第２コイルばね７４とを備えている。第２音出し凹部７１は、軸方向に延びた溝状に形成されており、第２レバー部材９１の前方の内周側面に揺動範囲に応じて周方向に間隔を隔てて複数形成されている。第２装着凹部７２は、第２音出し凹部７１に対向するようにつまみ装着部５２の外周側面に形成されている。この第２装着凹部７２の底部には、嵌合穴７２ａが形成されている。
【００４４】
第２音出しピン７３は、第２装着凹部７２に進退自在に装着されており、第２音出し凹部７１に係合している。第２音出しピン７３は、第２頭部７３ａと、第２頭部７３ａに連結された第２受け部７３ｂと、第２受け部７３ｂに連結された第２軸部７３ｃとを有している。第２頭部７３ａは先端が滑らかな凸状に形成されている。この第２頭部７３ａの先端が、第２音出し凹部７１に衝突を繰り返すことでクリック音を発する。ここで、第２音出しピン７３は、第２頭部７３ａの先端が滑らかな凸状に形成されているので、極力少ない抵抗でクリック音を発することができる。第２受け部７３ｂは、第２頭部７３ａより大径かつ第２装着凹部７２の内径より小径に形成されている。第２軸部７３ｃは、第２受け部７３ｂより小径に形成された軸状の部分であり、外周に第２コイルばね７４を配置できるようになっている。このように、第２軸部７３ｃが第２受け部７３ｂより小径に形成されることで、第２受け部７３ｂと第２軸部７３ｃとの段差部分に第２コイルばね７４の先端が当接可能となっている。また、第２軸部７３ｃは、第２装着凹部７２に形成された嵌合穴７２ａに、軸方向に摺動自在に嵌合されている。
【００４５】
第２コイルばね７４は、第２音出しピン７３の第２軸部７３ｃの外周に配置される。このとき、第２コイルばね７４の基端部は第２装着凹部７２の底部に当接しており、第２コイルばね７４の先端部は第２受け部７３ｂと第２軸部７３ｃとの段差部分に当接している。この第２コイルばね７４は、圧縮状態で第２装着凹部７２に収納され、第２音出しピン７３を第２音出し凹部７１側に付勢している。なお、第２コイルばね７４には、極力少ない抵抗で歯切れの良いクリック音を出せる程度のばね定数が設定されている。
【００４６】
第３リアドラグ発音機構８０は、リアドラグ機構４５が作動したときに発音するようになっている。第３リアドラグ発音機構８０は、図２に示すように、音出しばね８１と、プレート部材２０ｂの外周面に形成された突起２０ｃとからなっている。音出しばね８１は、たとえば略Ｌ字形に形成された板ばねになっており、リールボディ１ａに一端が固定されている。そして、音出しばね８１の他端が突起２０ｃに係合している。これにより、リアドラグ機構４５が作動したときに、スプール軸１４および第１ブッシュ１８とともにプレート部材２０ｂが回転して、プレート部材２０ｂの突起２０ｃが音出しばね８１の他端に衝突を繰り返して発音する。
【００４７】
〔スピニングリールの動作〕
以上に示したスピニングリールを使用する場合、糸を繰り出すときには、ベール４３を糸開放側に倒す。そして、釣り竿をキャスティングすると、スプール３から釣り糸が繰り出される。糸を巻き取るときには、ベール４３を糸巻取側に戻す。この状態でハンドル１０を糸巻取方向に回転させると、この回転力がハンドル軸１０ａ及びフェースギア１１を介してピニオンギア１２に伝達される。そして、ピニオンギア１２に伝達された回転力が、ピニオンギア１２の前部においてロータ２を回転させる。一方で、ピニオンギア１２に伝達された回転力は、ピニオンギア１２に噛み合う図示しない中間ギアを介して螺軸１５も同時に回転させる。このとき、螺軸１５の螺旋溝に噛み合うスライダ１６が図示しないガイド軸に案内され前後方向に移動する。スライダ１６が移動すると、スライダ１６とともにスプール軸１４とスプール３とが前後方向に往復移動する。こうしたロータ２の回転とスプール３の前後移動とによって、ベール４３およびラインローラ４１から案内された釣り糸が、スプール３の外周に前後方向に均一に巻き取られる。このように動作するスピニングリールを使用するとき、魚がかかって魚が所定のドラグ力を越える力で釣り糸を引き込むと、スプール軸１４とスプール３とが相対回転してリアドラグ機構４５が作動する。このとき、第３リアドラグ発音機構８０において、プレート部材２０ｂの突起２０ｃが音出しばね８１の他端に衝突を繰り返して発音する。
【００４８】
このように作動するリアドラグ機構４５では、第１リアドラグつまみ５０と第２リアドラグつまみ５１とを操作することで、スプール３に対するドラグ力が所定の値に設定される。第１リアドラグつまみ５０を締め付けると、第２つまみ部材５６の第１嵌合部５６ｅに嵌合させた第１押圧部材２２が回転しながら前方へと移動し、第１押圧部材２２に連結された押圧用コイルばね２１が押し込まれる。すると、第１摩擦係合部１９の複数の摩擦プレート１９ａに働く押圧力が増大する。このとき、第１ブッシュ１８のフランジ部２３の両面は摩擦プレート１９ａに挟持されており、このフランジ部２３の両面に働く押圧力も増大する。このようにして、第１ブッシュ１８に対して回転不能なスプール軸１４は回転しにくくなり、スプール３に作用するドラグ力は強くなる。一方で、第１リアドラグつまみ５０を弛めると、第１押圧部材２２は回転しながら後方へと移動し、押圧用コイルばね２１の押し込まれた状態が徐々に解除される。すると、摩擦プレート１９ａに挟持されたフランジ部２３の押圧が解除されて、第１ブッシュ１８に対して回転不能なスプール軸１４は回転しやすくなり、スプール３に作用するドラグ力は弱くなる。
【００４９】
第２リアドラグつまみ５１をつまんで第２リアドラグつまみ５１を締め付けると、係合部９５ｂを介して第２押圧部材２５が第２摩擦係合部２０を押圧する。すると、第２摩擦係合部２０の複数の摩擦プレート２０ａに働く押圧力が増大する。このとき、第１ブッシュ１８の外周に回転不能に装着されたプレート部材２０ｂの両面は摩擦プレート２０ａによって挟持されており、このプレート部材２０ｂの両面に働く押圧力も増大する。このようにして、第１ブッシュ１８に対して回転不能なスプール軸１４も回転しにくくなり、スプール３に対するドラグ力は強くなる。一方で、第２リアドラグつまみ５１を弛めると、第２押圧部材２５によって、第２摩擦係合部２０の押圧状態が徐々に解除される。すると、第１ブッシュ１８に対して回転不能なスプール軸１４は回転しやすくなり、スプール３のドラグ力は弱くなる。
【００５０】
このようなスピニングリールでは、第２リアドラグつまみ５１の内周部に回転規制部５４が設けられ、つまみ装着部５２の外周部の上下方向にそれぞれ突出する第１係止突起５３ａ及び第２係止突起５３ｂが設けられており、回転規制部５４を第１係止突起５３ａ及び第２係止突起５３ｂに接触させることにより、第２リアドラグつまみ５１の揺動範囲を規制している。ここでは、つまみ装着部５２の外周部の上下方向にそれぞれ突出する第１係止突起５３ａ及び第２係止突起５３ｂが設けられているので、従来のようにつまみ装着部５２の左右方向に突出する突出部を有する回り止め部材を設ける必要がなくなる。したがって、リールボディ１ａの後部の左右の幅を小さくしながら、第２リアドラグつまみ５１の揺動範囲を規制することができる。
【００５１】
〔他の実施形態〕
（ａ）  前記実施形態では、回転規制部５４は、第２リアドラグつまみ５１の側部右側内周部に突出して配置されていたが、図１２に示すように、第２リアドラグつまみ５１の側部左側内周部に突出して配置する構成にしてもよい。なお、この場合には、第１係止突起５３ａ及び第２係止突起５３ｂの回転規制部５４との接触面が、回転規制部５４と垂直に接触するように左側に傾斜して配置されている。
【００５２】
（ｂ）  前記実施形態では、単一の回転規制部５４を２つの第１係止突起５３ａ及び第２係止突起５３ｂに接触させて第２リアドラグつまみ５１を回転規制していたが、図１３から図１５に示すように、第２リアドラグつまみ５１の側部内周側の左右に突出する第１被係止突起５４ａ及び第２被係止突起５４ｂからなる２つの回転規制部５４を設ける構成にしてもよい。なお、この場合には、図１３及び図１４に示すように、つまみ装着部５２の外周部の下方向又は上方向に単一の係止突起５３を設けてもよいし、図１５に示すように、つまみ装着部５２の外周部の上下方向にそれぞれ突出する第１係止突起５３ａ及び第２係止突起５３ｂからなる２つの係止突起５３を設けてもよい。
【００５３】
（ｃ）  前記実施形態（ｂ）では、第１被係止突起５４ａ及び第２被係止突起５４ｂは左右別々に設けられていたが、図１６及び図１７に示すように、第２リアドラグつまみ５１の内周側の下側又は上側と連続するように第１被係止突起５４ａ及び第２被係止突起５４ｂを一体的に設ける構成にしてもよい。なお、第１被係止突起５４ａ及び第２被係止突起５４ｂを下側に一体成形した場合、図１６に示すように、係止突起５３はつまみ装着部５２の外周部の上方向に突出して設けられている。また、第１被係止突起５４ａ及び第２被係止突起５４ｂを上側に一体成形した場合、図１７に示すように、係止突起５３はつまみ装着部５２の外周部の下方向に突出して設けられている。
【図面の簡単な説明】
【００５４】
【図１】本発明の一実施形態によるスピニングリールの断面図。
【図２】前記スピニングリール後部の拡大断面図。
【図３】前記スピニングリールの第１リアドラグつまみの拡大断面図。
【図４】前記スピニングリールの第２リアドラグつまみの拡大断面図。
【図５】前記スピニングリールに設置された第１リアドラグ発音機構の拡大断面図。
【図６】前記スピニングリールに設置された第２リアドラグ発音機構の断面図。
【図７】前記第２リアドラグ発音機構の拡大断面図。
【図８】前記スピニングリールのリアドラグ操作構造を示す分解斜視図。
【図９】前記リアドラグ操作構造の背面断面図。
【図１０】前記第２リアドラグつまみを時計回りに揺動させたときの図９に相当する図。
【図１１】前記第２リアドラグつまみを反時計回りに揺動させたときの図９に相当する図。
【図１２】他の実施形態の図９に相当する図。
【図１３】他の実施形態の図９に相当する図。
【図１４】他の実施形態の図９に相当する図。
【図１５】他の実施形態の図９に相当する図。
【図１６】他の実施形態の図９に相当する図。
【図１７】他の実施形態の図９に相当する図。
【図１８】ハンドルの拡大断面図。
【符号の説明】
【００５５】
１  リール本体
１ａ  リールボディ
４５  リアドラグ機構
５０  第１リアドラグつまみ
５１  第２リアドラグつまみ
５２  つまみ装着部
５３  係止突起
５３ａ  第１係止突起
５３ｂ  第２係止突起
５４  回転規制部
５４ａ  第１被係止突起
５４ｂ  第２被係止突起
【図１】
2005348638.tif 000003
【図２】
2005348638.tif 000004
【図３】
2005348638.tif 000005
【図４】
2005348638.tif 000006
【図５】
2005348638.tif 000007
【図６】
2005348638.tif 000008
【図７】
2005348638.tif 000009
【図８】
2005348638.tif 000010
【図９】
2005348638.tif 000011
【図１０】
2005348638.tif 000012
【図１１】
2005348638.tif 000013
【図１２】
2005348638.tif 000014
【図１３】
2005348638.tif 000015
【図１４】
2005348638.tif 000016
【図１５】
2005348638.tif 000017
【図１６】
2005348638.tif 000018
【図１７】
2005348638.tif 000019
【図１８】
2005348638.tif 000020